(57)【要約】【課題】  適正にモニタ色温度を自動調整するモニタ色温度自動調整装置を提供する。【解決手段】  信号の入力と出力を提供できるコネクタ装置と、該コネクタ装置は、アナログ信号入力をデジタル信号に転換できる信号転換装置と、プログラムを書いて定義する或いはモニタ装置の外観と字体を外部入力できる中央プロセッサと、モニタ装置に出力する画面の大きさ、画質及び輝度を制御するモニタ制御装置とが接続され、映像信号終端出力ユニットである前記モニタ装置と、該モニタ装置のモニタ色温度値を感知でき、該感知したデータ出力する色温度感知装置と、前記データ出力する演算機能を提供する計算機と、該計算機からの出力をコネクタ装置に接続される信号接続ケーブルとを具えるモニタ色温度自動調整装置で、モニタ装置付近に設置した色温度感知装置と計算機及び信号接続ケーブルにより、一つの循環システムを構成してモニタの自動色温度調整を行う。【選択図】  図４
2005151275.tif 000002
【特許請求の範囲】
【請求項１】
信号の入力と出力を提供できるコネクタ装置と、
該コネクタ装置は、アナログ信号入力をデジタル信号に転換できる信号転換装置と、プログラムを書いて定義する或いはモニタ装置の外観と字体を外部入力できる中央プロセッサと、モニタ装置に出力する画面の大きさ、画質及び輝度を制御するモニタ制御装置とが接続され、
映像信号終端出力ユニットである前記モニタ装置と、該モニタ装置の近傍に設置しモニタ色温度値を感知する色温度感知装置であって感知したデータ出力する色温度感知装置と、前記データ出力する演算機能を提供する計算機と、該計算機からの出力をコネクタ装置に接続される信号接続ケーブルとを具えることを特徴とするモニタ色温度自動調整装置。
【請求項２】
前記コネクタ装置は信号接続ケーブルを経て外部アナログ信号入力と接続し、信号転換装置を経て入力アナログ信号をデジタル信号に転換し、中央プロセッサ及びモニタ制御装置の処理を経てモニタに出力し、モニタ付近に設置した色温度感知装置が感知して出力値を計算機に提供し、計算機内に基準色温度値をデフォルト設定して色温度感知装置の出力値と計算し、加減値を、信号接続ケーブルを経てコネクタ装置から信号転換装置へ、モニタ制御装置へ提供するとともに、まずその加減値を中央プロセッサに提供し、中央プロセッサが加減値を受け取るとモニタ制御装置が色温度値を出力し、モニタ装置へ出力し、このように色温度感知装置がモニタ色温度値と計算機がデフォルトとする値とが同じになるまで循環することを特徴とする請求項１記載のモニタ色温度自動調整装置。
【請求項３】
前記コネクタ装置は、データバス、ユニバーサルシリアルバス、デジタルビジュアルインタフェイス、オーディオビジュアルインタフェイスとすることができることを特徴とする請求項１記載のモニタ色温度自動調整装置。
【請求項４】
前記モニタ装置は、ブラウン管、液晶パネルＬ、プラズマモニタパネルなど映像をモニタできる装置とすることができることを特徴とする請求項１記載のモニタ色温度自動調整装置。
【請求項５】
前記コネクタ装置、信号転換装置、中央プロセッサ、モニタ制御装置、モニタ装置を合わせて接続して、一つのモニタ重要コンポーネントに構成することができるようにしてなることを特徴とする請求項１記載のモニタ色温度自動調整装置。
【請求項６】
前記色温度感知装置を独立の一装置とし、感知に色温度値を出力するとともに計算機に出力することを特徴とする請求項１記載のモニタ色温度自動調整装置。
【請求項７】
前記計算機を独立のパーソナルコンピュータとすることを特徴とする請求項１記載のモニタ色温度自動調整装置。
【請求項８】
前記信号接続ケーブルはデータバス、ユニバーサルシリアルバス、デジタルビジュアルインタフェイス、オーディオビジュアルインタフェイスに対応するものであることを特徴とする請求項１記載のモニタ色温度自動調整装置。
【発明の詳細な説明】
【技術分野】
【０００１】
本発明はモニタ色温度自動調整装置に関し、特に、モニタ内の接続装置、信号転換装置、中央プロセッサ、モニタ制御装置、モニタ装置、モニタ装置付近の色温度感知装置、計算機、及び信号接続ケーブルにより循環システムを構成し、適正なモニタ自動色温度調整機能に関する。
【背景技術】
【０００２】
従来より、科学技術進歩のもと、遠方からの伝送や記憶媒体に保存した信号を、映像信号に転換できるようになったが、仕事でも娯楽用途でも、映像再現の需要の中でモニタは最も重要なコンポーネントとなっている。
モニタが出力するのは映像で、人々がその使用者であるが、我々の映像の入力端は目であり、目の色は遺伝子の関係で淡色（青や緑）と濃色（褐色）がある。図１に示すように、目の色を決めるのは瞳の前にある虹彩で、虹彩自身に色があるために、淡色は微弱な光ケーブルに対する敏感度が高く、濃色は強い光に対する耐性がある。
これではモニタメーカが製造したモニタは、色校正において人種遺伝子が異なることで差が出てしまうため、モニタが出力する色温度を、例えば、特許文献１に示されるように、調整しなければならない。
色温度は、仮想の完全に黒い物体（黒体）に熱を加えた時に黒体は電磁波を放射するが、そのスペクトルは部分的に人の目に見える（これが光である）。異なる温度の熱を黒体に加えれば、放射される光のエネルギーとスペクトル分布（光の色）も異なってくる。これが色温度である。モニタでは、低色温度は赤系黄系暖色系であり、高色温度は青系寒色系である。
【０００３】
一般には標準色温度は５０００Ｋであるので、モニタも５０００Ｋに校正すべきである。しかし使用者の違いにより、購入者が要求色温度をメーカに提示することがあり、メーカは普通まずモニタスクリーン上の調整メニューＯＳＤ(on Screen Display)でその色温度値を調整した後、色温度感知装置６で外部色温度感知方式で感知し、外部感知方式で出力色温度値を確定するか、または使用者が標準色温度とみなすモニタを提供し、これを基準サンプルとしてメーカの人員が肉眼で、出力値をサンプルと同じに色校正する。
【特許文献１】特許第３１７８６６０号公報
【発明の開示】
【発明が解決しようとする課題】
【０００４】
モニタ色温度自動調整は、公知の方法で使用者の要求を満たしているように錯覚しているが、実際には以下の欠点がある。
１．モニタ内の部品は非常に多く、通過する回路も複雑なため、モニタスクリーンのＯＳＤで色温度を使用者の要求色温度に調整しても、誤差率と校正者の経験値や誤差、及び環境光線の干渉因子により、正確に校正できていない場合が少なくない。
２．使用者が標準色温度とみなすモニタを提供し、これを基準サンプルとしてメーカ人員が肉眼で出力値をサンプルと同じに調整する場合、色の認識は個人差があり、経験値も異なるため、色校正しても差が出るのは避けられない。
３．以上二種の方法で校正した後、使用者が多数台のモニタを発注し、同一目視空間で使用すると、それぞれのモニタの色温度の差異が見て分かり、使用者に販売者やメーカの品質管理が悪いことを発見され、販売者やメーカの商業イメージが損なわれる。
本発明は、以上の欠点を解決するため、本発明は、適正なモニタ色温度自動調整装置及び方法を提供するものである。
【課題を解決するための手段】
【０００５】
上記課題を解決するため、本発明のモニタ色温度自動調整装置及び方法は、モニタ内のコネクタ装置、信号転換装置、中央プロセッサ、モニタ制御装置、モニタ装置、及びも似た装置付近に設置した色温度感知装置と計算機及び信号接続ケーブルにより、一つの循環システムを構成し、モニタの自動色温度調整を行うものである。すなわち、
請求項１の発明は、信号の入力と出力を提供できるコネクタ装置と、該コネクタ装置は、アナログ信号入力をデジタル信号に転換できる信号転換装置と、プログラムを書いて定義する或いはモニタ装置の外観と字体を外部入力できる中央プロセッサと、モニタ装置に出力する画面の大きさ、画質及び輝度を制御するモニタ制御装置とが接続され、映像信号終端出力ユニットである前記モニタ装置と、該モニタ装置の近傍に設置しモニタ色温度値を感知する色温度感知装置であって感知したデータ出力する色温度感知装置と、前記データ出力する演算機能を提供する計算機と、該計算機からの出力をコネクタ装置に接続される信号接続ケーブルとを具えることを特徴とするモニタ色温度自動調整装置である。
【０００６】
請求項２の発明は、前記コネクタ装置は信号接続ケーブルを経て外部アナログ信号入力と接続し、信号転換装置を経て入力アナログ信号をデジタル信号に転換し、中央プロセッサ及びモニタ制御装置の処理を経てモニタに出力し、モニタ付近に設置した色温度感知装置が感知して出力値を計算機に提供し、計算機内に基準色温度値をデフォルト設定して色温度感知装置の出力値と計算し、加減値を、信号接続ケーブルを経てコネクタ装置から信号転換装置へ、モニタ制御装置へ提供するとともに、まずその加減値を中央プロセッサに提供し、中央プロセッサが加減値を受け取るとモニタ制御装置が色温度値を出力し、モニタ装置へ出力し、このように色温度感知装置がモニタ色温度値と計算機がデフォルトとする値とが同じになるまで循環することを特徴とする請求項１記載のモニタ色温度自動調整装置である。
【０００７】
請求項３の発明は、前記コネクタ装置は、データバス(D-bus)、ユニバーサルシリアルバス(ＵＳＢ)、デジタルビジュアルインタフェイス(ＤＶＩ)、オーディオビジュアルインタフェイス(ＡＶI)などとすることができることを特徴とする請求項１記載のモニタ色温度自動調整装置である。
請求項４の発明は、前記モニタ装置はブラウン管(ＣＲＴ)、液晶パネル(ＬＣＤ panel)、プラズマモニタパネル(ＰＤＰ)など映像をモニタできる装置とすることができることを特徴とする請求項１記載のモニタ色温度自動調整装置。
請求項５の発明は、前記コネクタ装置、信号転換装置、中央プロセッサ、モニタ制御装置、モニタ装置などを合わせて接続して、一つのモニタ重要コンポーネントに構成することができるようにしてなることを特徴とする請求項１記載のモニタ色温度自動調整装置である。
請求項６の発明は、前記色温度感知装置を独立の一装置とし、感知に色温度値を出力するとともに計算機に出力することを特徴とする請求項１記載のモニタ色温度自動調整装置である。
請求項７の発明は、前記計算機を独立のパーソナルコンピュータとすることを特徴とする請求項１記載のモニタ色温度自動調整装置。
請求項８の発明は、前記信号接続ケーブルはデータバス(D−ｂｕｓ)、ユニバーサルシリアルバス(ＵＳＢ）、デジタルビジュアルインタフェイス(ＤＶＩ)、オーディオビジュアルインタフェイス(ＡＶ)に対応するものであることを特徴とする請求項１記載のモニタ色温度自動調整装置である。
【発明の効果】
【０００８】
本発明により、以下の効果が得られる。
１．労働傷害の減少
長い間、モニタ品質管理作業者は色温度調整のために長時間長期間にわたりモニタ近距離にいなければならず、目を酷使して色温度調整を行い、目の傷害を招き易かった。色温度調整作業のため作業者の視力を損なうばかりでなく、モニタメーカも労働傷害に対する損害補償を負わねばならなかった。本発明の装置と方法の利用により、目を酷使する必要がなく、上記の傷害をほぼ完全に避けることができる。
２．人員合理化
従来の色温度調整は人力で調整を行っていたため、モニタスクリーン上のＯＳＤ調整キーのほか、色温度感知装置で再測定しなければならず、生産ライン上に少なくとも色温度調整のために二工程多かった。つまり、二人以上の作業者がひつようであった。本発明の装置と方法により、作業を完全自動化し、色温度調整人員を削減できる。
３．調整精密度の向上
従来の色温度調整は人力で行っており、調整者の経験値に加え、生理状態や心理面の要素が調整の誤差を増大していた。本発明の装置と方法により、作業を完全自動化し、基準値になるまで調整を循環するので、正確度は従来の調整に比較して大幅に向上する。
４．品質向上
モニタ内部の部品は数多く、誤差は免れ難いが、人力調整の欠点が改善されなければ品質は向上しない。本発明の装置と方法により、１００％近い正確度を達成でき、品質が大幅に向上する。
【発明を実施するための最良の形態】
【０００９】
本発明の好適な実施例を図に沿って説明する。
図２に示すようにコネクタ装置１、信号転換装置２、中央プロセッサ(SCALER IC)３、モニタ制御装置４、モニタ装置５を一つのモニタを構成する基本コンポーネントとし、色温度感知装置６により実際のモニタ色温度出力値をモニタメーカがモニタリングし、これをテスト対象のモニタの正面前方に設置する。
このように、モニタ装置５のデスプレイの近傍で前面に色温度感知装置６を設置し、色温度感知装置６に数字ディスプレイを設け、色温度出力値を表示し、色温度感知装置６から出力端を計算機７へ接続し、計算機は独立のパーソナルコンピュータとし、計算機７から信号接続ケーブル８を経てコネクタ装置１に接続する。
本実施例のハードウエアの構成は以上である。
【００１０】
図３、７に示すように、実際の実施方法は、モニタ装置５がある画面を表示し、色温度感知装置６によってその実際の色温度値を感知し、且つ、色温度感知装置６の前端に色温度感知部６０を設け、使用時には色温度感知部６０をある画面を表示しているモニタ装置５に近傍に設置し近づければ、色温度感知部６０は画面を表示しているモニタ装置５が実際に出している色温度を検知することができる。
色温度感知装置６の一端に数字表示部６１を設け、その表示機能は数字出力であり、色温度の実測値を即座に表示できる。また、色温度感知装置６は出力端６２を有し、モニタ装置５の色温度値を色温度感知装置６を経て計算器内に伝送できる。
【００１１】
図４に示すように、計算機７は入力端７１を有し、色温度感知装置６の出力端６２から、検知した画面のあるモニタ装置が実際に出している色温度値を受け取ることができ、計算機７はもう一つのモニタ７２を有し、色温度感知装置６の出力端６２から伝送された実測色温度値を表示できる。計算機７自身別途に入力端を有し、キーボード７３、マウス７４、内部ネットワーク７５、外部ネットワーク７６など、計算機７に標準色温度値入力装置を提供し、計算機７が計算機付近の保存装置７７にデフォルトとして基本色温度値を設定した後、色温度感知装置６の出力端６２の、検知した画面のあるモニタ装置５が実際に出している色温度値と、プログラムを利用して二つの値を計算することにより、標準色温度値との差異が分かるとともに、プラス値或いはマイナス値を信号接続ケーブル８を通じてコネクタ装置１に接続して提供する。
【００１２】
図５に示すように、計算機７がプラス値或いはマイナス値を、信号接続ケーブル８を経てコネクタ装置１に接続して提供する際、この時、計算機７が提供するプラス値或いはマイナス値はアナログのＲＧＢ信号であるため、コネクタ装置１は計算機７が提供のプラス値或いはマイナス値のアナログのＲＧＢ信号を受け取ると、信号転換装置２に出力し、信号転換装置(Triple ADC)２はアナログ−デジタルコンバータ(analog-to-digital converter)であり、計算機が出力したアナログのＲＧＢ信号をデジタル信号に転換することができる。
【００１３】
図６に示すように、その後、信号転換装置２は転換後のデジタル信号を中央プロセッサ(SCALER IC)３に転送する。中央プロセッサ(SCALER IC)３はここでモニタ装置５の駆動ＩＣを制御するとともに、これにより出力画面の大きさ、画質及び輝度を制御し、計算機７が提供するプラス値或いはマイナス値と演算を行い、モニタ装置５の出力値が計算機７内のデフォルト色温度値に符合するようにする。
中央プロセッサ(SCALER IC)３が演算を行うとともに出力画面の大きさ、画質、輝度の制御を経て、計算機７内のデフォルト色温度値と符合させ、これをモニタ制御装置(monitor control unit）４に出力し、モニタ制御装置(monitor control unit)４機能はプロセスを書き込んで、ＯＳＤディスプレイのドロップアウトメニュー外観及び字体を定義或いは制御し、後から使用者が自分で必要な調整をできるようにした後モニタ装置５に出力するとともに、色温度感知装置６により出力色温度値を感知し、以上のプロセスを、計算機７内のデフォルト色温度値と完全に符合するまで循環して行う。
【００１４】
実際の作業はモニタメーカで行い、モニタ組み立て完了に次いで、モニタを生産ラインで色温度校正センタへベルトコンベヤ輸送し、校正者が信号接続ケーブル８でコネクタ装置１から計算機７まで接続し、この時モニタを画面出力がある状態にし、色温度感知装置６をモニタ装置５に近づけた時、色温度感知装置６は色温度値を感知する。この時色温度感知装置６は感知した色温度値を計算機７に伝送し、計算機７付近の保存装置７７内のデフォルト色温度値と比較した後、信号接続ケーブル８によってコネクタ装置１に伝送し、本装置にてモニタ装置５の出力色温度を修正調整し、計算機７付近の保存装置７７内のデフォルト色温度値と完全に同様になると、校正者は次のモニタの校正を開始する。
【図面の簡単な説明】
【００１５】
【図１】本発明を説明するための人の目の構造である。
【図２】本発明の実施例のハードウエアのブロック図である。
【図３】本発明の実施例の実際の実施方法である。
【図４】本発明の実施例の色温度感知装置と計算機の動作略図である。
【図５】本発明の実施例の計算機とコネクタ装置と信号転換装置の動作略図である。
【図６】本発明実施例のの計算機と中央プロセッサの動作略図である。
【図７】本発明実施例の色温度感知部とディスプレイの位置図である。
【符号の説明】
【００１６】
１    コネクタ装置
２    信号転換装置
３    中央プロセッサ
４    モニタ制御装置
５    モニタ装置
６    色温度感知装置
６０  色温度感知部
６１  数字ディスプレイ
６２  出力端
７    計算機
７１  入力端
７２  モニタ
７３  キーボード
７４  マウス
７５  内部ネットワーク
７６  外部ネットワーク
７７  保存装置
８    信号接続ケーブル
【図１】
2005151275.tif 000003
【図２】
2005151275.tif 000004
【図３】
2005151275.tif 000005
【図４】
2005151275.tif 000006
【図５】
2005151275.tif 000007
【図６】
2005151275.tif 000008
【図７】
2005151275.tif 000009